(57)【要約】      （修正有）【課題】ジョーで咥えることの出来る最大寸法を変更可能なクランプ。【解決手段】クランプを構成している部品を個別に選び購入してクランプ長さを任意に交換延長できるクランプ組立キット。クランプ組立キットは下記４種類の部品で構成される。１丸棒、丸パイプ、角材などで製作されたロッド１−１、１本。２品を挟むジョー２−１、２個、ロッドとジョーを固定する短い締め付けネジ３−１、２本。３ジョーに取り付けるやや長い締め付けネジ３−２、１本と一番長い締め付けネジ３−３、１本。４締め付けネジの先端に取り付ける首振り型のスラストプレート４、２個。ロッドに挿入されたジョーは任意の位置にスライドし短い締め付けネジで固定出来る。【選択図】図１
2015100913.tif 000002
【特許請求の範囲】
【請求項１】
ロッドと上部スライドジョーと下部スライドジョーとから成る押圧クランプの組立キットであって、長さの異なる複数のロッドのうち所定の一ロッドに、前記の上部スライドジョーをロッド上端にネジ締めにて固定し、前記の下部スライドジョーを前記ロッド上端より下部位置に取り付け、該下部スライドジョーはスライドして所定のロッド位置に固定できるようにして、長さの異なる前記ロッドを交換して使用できるようにした押圧クランプの組立キット。
【請求項２】
上記の長さの異なる複数のロッドが、丸棒、丸パイプのロッドの場合においてネジ結合などの方法で簡単に継ぎ足して長さを変えられるようにした特許請求の範囲第１項の押圧クランプの組立キット。
【請求項３】
上記の長さの異なる複数のロッドが断面矩形のロッドの場合において、該ロッドと断面矩形のロッド用ジョーとの組み合わせで長さの異なるロッドと交換出来るようにした特許請求の範囲第１項の押圧クランプの組立キット。
【発明の詳細な説明】
【技術分野】
【０００１】本発明はクランプに関する。
【背景技術】
【０００２】従来のＬ型クランプはジョーで咥えることの出来る最大寸法はそのクランプのロッドの長さで決まってしまい、その寸法以上の大きさの物を咥えるには更にに大型のクランプを用意する必要があった。
例えば複数の木片を重ねて接着する為にＬ型クランプで挟んで固定するような場合、挟む物の大きさよりも長いロッドを持つクランプでないと挟めない。【０００３】
【特許文献】特開２００５−００１１０７号公報
【発明の概要】
【発明が解決しようとする課題】
【０００４】上記した従来のＬ型クランプに対して、クランプのロッドを簡単に取り外し交換出来るようにしておけば大きな寸法の物には長いロッドに取り替えればよいので、大小各種のクランプがなくても必要な長さのロッドだけ変えればよいので経済的である。
キットにはロッドの形状が矩形断面のものと丸棒のものが用意されていて丸棒タイプのキットでは丸棒ロッドを継ぎ足して長さを増す事が出来るので更に経済的である。
大型クランプは重いから小さなものを挟む時は使いにくい。大小色々のサイズのクランプを用意すれば問題は解決するが経済的負担が大きい。
【課題を解決するための手段】
【０００５】クランプを構成する部品をキットにして部品毎に購入できるようにする。
キットの部品の中に継ぎ足し出来るような丸棒型のロッドを用意すれば継ぎ足してロッドを長く出来る。
継ぎ足し型でない矩形型で数種類の長さの異なるロッドの中から、必要な長さのロッドを購入し交換すればよい。【０００６】本発明のクランプ組立キットは次のように構成される。すなわち、ロッドと上部スライドジョーと下部スライドジョーとから成る押圧クランプの組立キットであって、長さの異なる複数のロッドのうち所定の一ロッドに、前記の上部スライドジョーをロッド上端にネジ締めにて固定し、前記の下部スライドジョーを前記ロッド上端より下部位置に取り付け、該下部スライドジョーはスライドして所定のロッド位置に固定できるようにして、長さの異なる前記ロッドを交換して使用できるようにした押圧クランプの組立キットであることを特徴とする。
【発明を実施するための形態】
【０００７】本発明は、クランプを構成している部品を個別に選定して、クランプ長さを任意に交換延長できるクランプ組立キットである。
クランプ組立キットは下記４種類の部品で構成される。
１  丸棒、丸パイプ、角材などで製作されたロッド１本
２  物品を挟むジョー２個、ロッドとジョーを固定する短い締め付けネジ２本
３  ジョーに取り付けるやや長い締め付けネジ１本と一番長い締め付けネジ１本
４  締め付けネジの先端に取り付ける首振り型のスラストプレート２個
ロッドに挿入されたジョーは任意の位置にスライドし短い締め付けネジで固定出来る。
【０００８】本発明のクランプ組立キットを、図にしたがって説明する。図１は組み立てたクランプの外観図であり、図２はクランプを構成する部品図である。
図１のクランプの外観図に示すように、丸棒より成るロッド（１−１）の上部に上部のスライドジョー（２−１）が取り付けられ、下部には下部のスライドジョー（２−１）が取り付けられ、係るスライドジョーは、締め付けネジ（３−１）とナット（５）によりロッドの所定の位置にそれぞれ固定される。上部下部のスライドジョーには、被クランプする為の押圧用スラストプレート（４）がそれぞれ取り付けられ、該押圧用スラストプレートはそれぞれに締め付けネジ（３−２）及び（３−３）が付され、該ネジとジョーに付された雌ネジとの螺合により押圧が機能するようになっている。
【０００９】上部下部のスライドジョーは、ロッドに対する固定位置をスライド自在に変えることができるので、被クランプ材の巾を大きく取れることができ、また、ロッドを長いものに交換したり、図１のロッドに示すように両端に嵌合ネジ部を設けて延長することも可能で、被クランプ材の採用巾の自由度は著しく拡大する。
図２は、上記に説明したクランプの組立キットを構成する部品の一例である。
【発明の効果】
【００１０】大小さまざまな物体を挟むことが出来るように大小各種のクランプを用意するのは経済的でなく稼働率も悪い。キットには丸棒型の継ぎ足し構造ロッドが用意されているから適当な長さのロッドを選び継ぎ足して使へば安い費用で問題を解決できる。
【００１１】ロッドで挟む物体が大きいけれど軽いようなとき、強い力で挟む必要はないかもしれない。反対に小さい物体だけれど強く挟みたい場合もある。
強力に挟む為に継ぎ足し構造ではロッドの強度が足りないと思われるとき、継ぎ足し構造でない矩形型ロッドで必要な長さのものに交換すればよい。
長さの異なる数本のロッドを用意すればよいので、大小各種のクランプを揃えるよりはるかに安上がりである。
【図面の簡単な説明】
【００１２】
【図１】  本発明によるキットのパイプ型ロッドを使ったクランプの外観図
【図２】  本発明によるキットの構成部品図
【符号の説明】
【００１３】      １−１    １端に雌ネジ、他端に雄ネジを有する丸棒型ロッド
１−２    パイプ型ロッド
１−３    矩形型ロッド
２−１    機械加工で製作されたジョー
２−２    プレス加工で製作された丸型ロッド用ジョー
２−３    プレス加工で製作された矩形型ロッド用ジョー
３−１    短い締め付けネジ
３−２    中型の締め付けネジ
３−３    長い締め付けネジ
４        着脱出来るスラストプレート
５        短い締め付けネジでロッドとジョーを固定するナット
【図１】
2015100913.tif 000003
【図２】
2015100913.tif 000004